(57)【要約】【課題】作業者が作業し易く且つ従来と異なる簡単な構造を有する点検口を提供する。【解決手段】本発明による点検口(1)は、外枠(2)と、外枠(2)の内側を閉じる蓋体(4)を有する。外枠(2)は内周面(10c)を有し、蓋体(4)は、内周面(10c)と対向する外周面(12b)を有する。蓋体(4)に、解除位置とロック位置との間を蓋体(4)の周方向に摺動可能なスライド板(20)が取付けられ、スライド板(20)は、内周面(10c)に向かって突出する引掛け部(24)を有し、外枠(2)は、蓋体(4)に向かって突出する受け部(26)を有する。引掛け部(24)は、スライド部材(20)がロック位置にあるとき、蓋体(4)の開閉移動を阻止するように受け部(26)と整列して係合し、スライド部材(20)が解除位置にあるとき、蓋体(4)の開閉移動を許すように受け部(26)に対して周方向に偏位する。【選択図】図１
2007217950.tif 000002
【特許請求の範囲】
【請求項１】
ロック可能な点検口であって、
点検口取付け孔に取付けられる外枠と、前記外枠の内側を閉じる閉位置とそれを開放する開位置との間を開放側及び閉鎖側に向かって移動可能な蓋体と、を有し、
前記外枠は、内周面を有し、前記蓋体は、それが閉位置にあるときに前記外枠の内周面と対向する外周面を有し、
更に、解除位置とロック位置との間を前記蓋体の周方向に摺動可能に前記蓋体に取付けられ且つ外部から操作可能なスライド部材を有し、
前記スライド部材は、前記蓋体が閉位置にあるときに前記外枠の内周面に向かって突出する引掛け部を有し、
前記外枠は、前記蓋体が閉位置にあるときに前記蓋体に向かって突出し且つ前記引掛け部の開放側に位置する受け部を有し、
前記スライド部材の引掛け部は、前記スライド部材がロック位置にあるとき、前記蓋体が閉位置から開位置に移動することを阻止するように、前記受け部と整列して係合し、前記スライド部材が解除位置にあるとき、前記蓋体が閉位置から開位置に移動することができるように、前記受け部に対して周方向に偏位することを特徴とする点検口。
【請求項２】
前記外枠は、その内周面から前記蓋体に向かって且つ前記外枠の周方向に延びる内側フランジを有し、前記内側フランジは、前記蓋体が閉位置にあるときに前記引掛け部の開放側に位置し、且つ、前記蓋体が閉位置から開位置に移動するときに前記引掛け部が通過可能な切欠きを有し、
前記受け部は、前記切欠きと隣接した前記内側フランジの部分によって構成され、
前記スライド部材の引掛け部は、前記スライド部材がロック位置にあるとき、前記内側フランジの部分と係合し、前記スライド部材が解除位置にあるとき、前記切欠き部と整列し、それにより、前記内側フランジを越えて開放側に移動可能であることを特徴とする請求項１に記載の点検口。
【請求項３】
前記内蓋は、それが閉位置にあるときにその開放側の縁部から前記外枠の内周面に向かって延びる外側フランジを有し、
前記外枠の内側フランジは、前記内蓋が閉位置にあるときに前記外側フランジが前記内側フランジに開放側から着座するように、前記外枠の開放側の縁部から間隔をおいて配置されることを特徴とする請求項１又は２に記載の点検口。
【請求項４】
前記スライド部材は、前記蓋枠の外側フランジを貫いて下方に延びる操作部を有し、
前記蓋枠の外側フランジは、前記操作部を受入れるように周方向に延びる長孔を有することを特徴とする請求項３に記載の点検口。
【請求項５】
前記蓋体は、閉位置と開位置との間を回動によって移動させるための回動軸を有し、この回動軸は、前記蓋体の外周面から前記外枠に向かって突出し、
前記外枠は、外周壁を有し、この外周壁は、前記回動軸と対向する部分に前記回動軸を受入れる溝孔を有し、この溝孔は、前記外周壁の閉鎖側縁部において開放し且つそれから開放側に延び、
前記回動軸と前記スライド部材とは互いに点検口の反対側に設けられることを特徴とする請求項１〜４の何れか１項に記載の点検口。
【請求項６】
前記蓋体は、蓋パネルと、この蓋パネルが取付けられる内枠を有し、前記外枠及び前記内枠はそれぞれ、樹脂で一体に成形されることを特徴とする請求項１乃至５の何れか１項に記載の点検口。
【発明の詳細な説明】
【技術分野】
【０００１】
本発明は、点検口に関し、更に詳細には、ロック可能な点検口に関する。
【背景技術】
【０００２】
従来から使用されている点検口の代表例は、天井に取付けられる天井点検口である。天井点検口は、天井面に形成された点検口取付け孔に取付けられる外枠、即ち、点検口枠と、点検口枠の内側を閉じる閉位置とそれを開放する開位置との間を回動する蓋体と、蓋体を閉位置にロックするためのロック機構とを有している。ロック機構は、一般的には、円筒形の操作軸を有し、この操作軸の下端部が、ねじ回し等の工具によって回すことができるように天井面に露出している。かかるロック機構として、例えば、操作軸を工具によって回すことにより、蓋枠を横切る方向に延びるロッドが蓋枠と点検口枠の両方を貫通するように移動する構造や、操作軸を工具によって回すことにより、操作軸から半径方向に延びる引掛け部が点検口枠に引掛るように回転する構造が知られている（例えば、特許文献１及び２参照）。
【０００３】
また、天井点検口の蓋体は、点検口枠の内側に嵌合する蓋枠と、蓋枠の内側に取付けられた蓋パネルとを有している。点検口枠及び蓋枠はそれぞれ、鋼材又はアルミニウム合金材等で作られた４本の押出成形枠材が矩形に突合わされ且つ枠材の突合せ部分が連結部材によって互いに固定された構造を有している（例えば、特許文献３及び４参照）。また、蓋体を開位置と閉位置との間で回動させるための回動軸が、連結部材と一体に設けられており、回動軸を受入れる受入れ部材が点検口枠に取付けられている（例えば、特許文献３及び４参照）。
【０００４】
【特許文献１】特開平３−１９７７６８号公報（第１図）
【特許文献２】特開平１１−１５９２２４号公報（図１）
【特許文献３】特開２００２−３４９０５５号公報（段落００１２及び図４）
【特許文献４】特開平１０−３１７６６０号公報（段落００１２、００１３、図１及び図４）
【発明の開示】
【発明が解決しようとする課題】
【０００５】
上述した天井点検口では、作業者が作業しにくいことがある。例えば、内蓋を開閉するためにロック機構を解除する際、ロック機構の構造の複雑さに起因してロック機構の解除に必要なトルクを手で十分に操作軸に付与することができなかったり、工具が必要であるのに工具が手元になかったりすることがある。また、ロック機構を解除した際、内蓋の重量が急に腕にかかることがある。
【０００６】
また、点検口枠や蓋枠を形成している鋼材又はアルミニウム合金材等の枠材が天井面に露出するので、かかる枠材を無塗装で使用した場合、取付け面の色と大きく異なることがある。例えば、取付け面となる天井面が白色系の色を有している場合、天井面との視覚的印象を近づけるためには塗装する必要があり、コストが増大する。
【０００７】
従って、本発明の第１の目的は、作業者が作業し易く且つ従来と異なる簡単な構造を有する点検口を提供することにある。
【０００８】
また、本発明の第２の目的は、安価で、取付け面との間の視覚的印象の違いを見立たなくすることができる点検口を提供することにある。
【課題を解決するための手段】
【０００９】
上記第１の目的を達成するために、本発明による点検口は、ロック可能な点検口であって、点検口取付け孔に取付けられる外枠と、外枠の内側を閉じる閉位置とそれを開放する開位置との間を開放側及び閉鎖側に向かって移動可能な蓋体と、を有し、外枠は、内周面を有し、蓋体は、それが閉位置にあるときに外枠の内周面と対向する外周面を有し、更に、解除位置とロック位置との間を蓋体の周方向に摺動可能に蓋体に取付けられ且つ外部から操作可能なスライド部材を有し、スライド部材は、蓋体が閉位置にあるときに外枠の内周面に向かって突出する引掛け部を有し、外枠は、蓋体が閉位置にあるときに蓋体に向かって突出し且つ引掛け部の開放側に位置する受け部を有し、スライド部材の引掛け部は、スライド部材がロック位置にあるとき、蓋体が閉位置から開位置に移動することを阻止するように、受け部と整列して係合し、スライド部材が解除位置にあるとき、蓋体が閉位置から開位置に移動することができるように、受け部に対して周方向に偏位することを特徴としている。
【００１０】
このように構成された本発明の点検口によれば、蓋体が閉位置にあるときに、スライド部材をロック位置にしておくことにより、スライド部材の引掛け部が外枠の受け部と整列して係合し、蓋体が閉位置から開位置に移動することが阻止される。スライド部材をロック位置から解除位置に蓋体の周方向に摺動させると、スライド部材の引掛け部が外枠の受け部に対して周方向に偏位し、蓋体を開位置から閉位置に移動させることができる。
【００１１】
スライド部材をロック位置から解除位置に移動させるためには、スライド部材を蓋体の周方向に移動させればよいので、スライド部材に力をかけやすい。これは、従来技術の点検口において操作軸を回転させる操作とは全く異なる操作である。スライド部材を採用することにより、作業者による蓋体の開閉操作を容易にすることができ、構造も簡単にすることができる。
【００１２】
上記点検口において、好ましくは、外枠は、その内周面から蓋体に向かって且つ外枠の周方向に延びる内側フランジを有し、内側フランジは、蓋体が閉位置にあるときに引掛け部の開放側に位置し、且つ、蓋体が閉位置から開位置に移動するときに引掛け部が通過可能な切欠きを有し、受け部は、切欠きと隣接した内側フランジの部分によって構成され、スライド部材の引掛け部は、スライド部材がロック位置にあるとき、内側フランジの部分と係合し、スライド部材が解除位置にあるとき、切欠き部と整列し、それにより、内側フランジを越えて開放側に移動可能である。
【００１３】
上記点検口において、更に好ましくは、内蓋は、それが閉位置にあるときにその開放側の縁部から外枠の内周面に向かって延びる外側フランジを有し、外枠の内側フランジは、内蓋が閉位置にあるときに外側フランジが内側フランジに開放側から着座するように、外枠の開放側の縁部から間隔をおいて配置される。
【００１４】
このように構成された点検口では、内蓋を閉位置に移動させるとき、内蓋の外側フランジが外枠の内側フランジに開放側から着座する。それにより、内蓋を開位置から閉位置に移動させて、スライド部材を摺動させるとき、内蓋が安定し、作業者による蓋体の開閉操作を更に容易にすることができる。
【００１５】
また、上記点検口において、好ましくは、スライド部材は、蓋枠の外側フランジを貫いて下方に延びる操作部を有し、蓋枠の外側フランジは、操作部を受入れるように周方向に延びる長孔を有する。
【００１６】
このように構成された点検口では、操作部が蓋枠の外側フランジを貫く構造を採用しているので、構造が簡単である。また、操作部を外側フランジに設けているので、操作部と外側フランジとを同色系の材料で作ることにより、操作部を目立たなくすることができ、それにより、点検口と取付け面との間の視覚的印象の違いを見立たなくすることができる。
【００１７】
上記点検口において、好ましくは、蓋体は、閉位置と開位置との間を回動によって移動させるための回動軸を有し、この回動軸は、蓋体の外周面から外枠に向かって突出し、外枠は、外周壁を有し、この外周壁は、回動軸と対向する部分に回動軸を受入れる溝孔を有し、この溝孔は、外周壁の閉鎖側縁部において開放し且つそれから開放側に延び、回動軸とスライド部材とは互いに点検口の反対側に設けられる。
【００１８】
このように構成された点検口では、蓋体の回動軸を外枠の外周壁から取外すことができるので、外枠の内側のスペースを人が通るスペースとして有効に利用することができる。従って、作業者が作業し易くすることができる。
【００１９】
上記点検口において、好ましくは、前記蓋体は、蓋パネルと、この蓋パネルが取付けられる内枠を有し、前記外枠及び前記内枠はそれぞれ、樹脂で一体に成形される。
【００２０】
本発明の点検口は、点検口枠と蓋枠をそれぞれ樹脂で一体に成形しているので、従来技術の点検口と比較して、軽量化が図れるとともに、部品点数を少なくすることができる。また、軽量化に伴って、点検口への蓋枠の取付け及び取外しが容易になり、作業者が作業し易くなる。更に、取付け面に露出する点検口枠及び蓋枠が樹脂で作られているので、取付け面の色に似た樹脂を選択することにより、点検口の視覚的印象を、従来技術の点検口よりも、取付け面になじませることができる。その結果、安価で、取付け面との間の視覚的印象の違いを見立たなくすることができる点検口を提供することができる。
【発明の効果】
【００２１】
以上説明した通り、本発明により、作業者が作業し易く且つ従来と異なる簡単な構造を有する点検口を提供することができる。
【００２２】
また、本発明により、安価で、取付け面との間の視覚的印象の違いを見立たなくすることができる点検口を提供することができる。
【発明を実施するための最良の形態】
【００２３】
以下、図面を参照して、本発明による点検口の実施形態である天井点検口を説明する。図１は、本発明の実施形態である天井点検口の閉じた状態における底面図であり、図２は、天井面に取付けた天井点検口の開いた状態における正面図である。また、図３は、図２に示した開いた状態の天井点検口の底面図であり、図４は、図１の線４−４における断面図であり、図５は、図２に示した開いた状態の天井点検口の右側面図である。更に、図６は、解除位置にあるスライド板を示す、図１の線６−６における断面図であり、図７は、ロック位置にあるスライド板を示す、図１の線６−６における断面図である。
【００２４】
図１及び図２に示すように、天井点検口１は、天井面Ｃの取付け孔に取付けられる外枠である点検口枠２と、点検口枠２の内側を閉じる閉位置４ｂとそれを開放する開位置４ａとの間を開放側及び閉鎖側に向かって移動可能な蓋体４とを有している。また、蓋体４は、点検口枠２の内側に配置される内枠である蓋枠６と、蓋枠６の内側に取付けられる蓋パネル８とを有している。天井面Ｃは、具体的には、天井ボードによって形成されている。
なお、以下の説明において、開放側を下方と称し、閉鎖側を上方と称する。
【００２５】
図３に示すように、点検口枠２は、樹脂で矩形に一体に成形され、後述する回動軸１６が設けられる後部２ａと、後部２ａに対向する前部２ｂと、後部２ａと前部２ｂとを連結する２つの側部２ｃとを有している。図４に示すように、点検口枠２は、その全周にわたって板状に延びる外周壁部分１０ａを有しており、外周壁部分１０ａは、外周面１０ｂと内周面１０ｃとを有している。また、点検口枠２は、更に、外周壁部分１０ａの下縁部１０ｄから全周にわたって外方に延びる外側フランジ部分１０ｅと、下縁部１０ｄから上方に間隔をおいて内周面１０ｃから蓋枠６に向かって延びる内側フランジ部分１０ｆを有している。図３に示すように、内側フランジ部分１０ｆは、前部２ｂと側部２ｃにおいて周方向に延び、内蓋２の回動を可能にするために、後部２ａ及びそれに隣接した側部２ｃの一部分には設けられていない。点検口枠２を天井面Ｃに取付けるとき、外側フランジ部分１０ｅが天井面Ｃに当接する（図２参照）。点検口枠２を形成する樹脂は、例えば、ＡＢＳ樹脂、塩化ビニルである。
【００２６】
図２及び図５に示すように、点検口枠２の外周壁部分１０ａは、天井点検口２を天井面Ｃに取付けるための取付け金具Ｆが取付けられる取付け孔１０ｇを有している。取付け孔１０ｇは、後部２ａ、前部２ｂ、各側部２ｃに２つずつ設けられている。また、図３に示すように、点検口枠２の各側部２ｃの前側には、内周面１０ｃから突出する三角形断面の突出部１０ｈを有している。突出部１０ｈは、下方よりも上方が大きく突出し、突出部１０ｈの上端部における間隔は、後述する蓋枠６の２つの側部６ｃにまたがる外寸よりもわずかに大きくなっている。
【００２７】
図５に示すように、蓋枠６は、樹脂で矩形に一体に成形され、点検口枠２と同様、後部６ａと、後部６ａに対向する前部６ｂと、後部６ａと前部６ｂとを連結する２つの側部６ｃとを有している。図４に示すように、蓋枠６は、その全周にわたって板状に延びる内周壁部分１２ａを有し、内周壁部分１２ａは、外周面１２ｂと内周面１２ｃとを有している。蓋体４が閉位置４ｂにあるとき、蓋枠６の後部６ａ、前部６ｂ及び側部６ｃの外周面１２ｂはそれぞれ、点検口枠２の後部２ａ、前部２ｂ及び側部２ｃの内周面１０ｃと対向している。また、蓋枠６は、更に、内周壁部分１２ａの下縁部１２ｄから全周にわたって点検口枠２の内周面１０ｃに向かって外方に延びる外側フランジ部分１２ｅと、下縁部１２ｄから全周にわたって内方に延びる内側フランジ部分１２ｆとを有している。外側フランジ部分１２ｅは、蓋体４が閉じたときに、点検口枠２の内周面１０ｃに嵌合すると共に、点検口枠２の外側フランジ１０ｅに下方から着座する。樹脂は、例えば、ＡＢＳ樹脂、塩化ビニルである。
【００２８】
図２及び図５に示すように、蓋枠６の内周面１２ｃには、上下方向に延びる長孔１２ｇが設けられ、この長孔１２ｇには、内側フランジ部分１２ｆとの間に蓋パネル８を挟むように固定するためのＬ字形ブラケット１４が上下方向に位置調整可能に固定されている。
【００２９】
また、蓋体４は、それを開位置４ａと閉位置４ｂとの間を回動によって移動させるために、蓋枠６の外周面１２ｂから点検口枠２に向かって突出して延びる回動軸１６を有している。回動軸１６は、蓋枠６の２つの側部６ｃにそれぞれ設けられ、互いに同軸に反対方向に延びている。この回動軸１６は、天井点検口１の後端部１ａに設けられている。回動軸１６と蓋枠６の内周壁部分１２ａとの間に、板状の補強部分１６ａが設けられることが好ましい。
【００３０】
図２に示すように、点検口枠２の外周壁部分１０ａのうちの回動軸１６と対向する部分に、外周壁部分１０ａの上縁が開放し且つ下方に延びる溝孔１８が形成されている。詳細には、溝孔１８は、外周壁部分１０ａの上縁から下方に且つ後方に斜めに延びる斜め部分１８ａと、この斜め部分１８ａの終端から水平方向に延びる水平部分１８ｂとを有している。斜め部分１８ａは、蓋枠６を点検口枠２に取付けるときの回動軸１６の通路を構成し、水平部分１８ｂは、蓋体４が開閉するときに回動軸１６を回動可能に支持する。蓋体４が閉じているとき、回動軸１６が溝孔１８の水平部分１８ｂの後端に当接すると共に、それと反対側に位置する蓋枠６の外側フランジ部分１２ｅが点検口枠２の内周面１０ｃに当接することが好ましい。
【００３１】
図３に示すように、天井点検口１は、更に、解除位置２０ａ（図６参照）とロック位置２０ｂ（図７参照）との間を蓋体４の周方向Ｐに摺動可能に蓋枠６の外周面１２ｂに取付けられたスライド部材であるスライド板２０を有している。スライド板２０は、ＡＢＳ樹脂等の樹脂で形成され、回動軸１６が設けられている蓋枠６の後部６ａの反対側である前部６ｂに配置されることが好ましい。スライド板２０は、蓋枠６の前部６ｂの強度を上げるためにできるだけ長いことが好ましく、その両端部２０ｃと中心部２０ｄにおいて、蓋枠６の外周面１２ｂに摺動可能に支持されている。詳細には、スライド板２０は、その両端部２０ｃと中心部２０ｄに、周方向に延びる長孔２０ｅを有している。蓋枠６の内周壁部分１２ａは、この長孔２０ｅを通るピン部材２２が固定され、ピン部材２２は、スライド板２０を外周面１２ｂとの間に支持するために拡径した頭部２２ａを有している（図４参照）。ピン部材２２は、ＡＢＳ樹脂等の樹脂で作られていてもよいし、アルミニウム等の金属材料で作られていてもよい。
【００３２】
スライド板２０は、点検口枠２の内周面１０ｃに向かって突出する引掛け部２４を有している。引掛け部２４は、スライド板２０の両端部２０ｃと中心部２０ｄに設けられていることが好ましい。また、点検口枠２は、蓋体４が閉位置４ｂにあるときに蓋枠６に向かって突出し且つ引掛け部２４の下方に位置する受け部２６を有している。点検口枠２の内側フランジ部分１０ｆは、蓋体４が閉位置４ｂにあるときに引掛け部２４の下方に位置すると共に、蓋体４が閉位置４ｂから開位置４ａに移動するときに引掛け部２４が通過可能な切欠き２８を有している。受け部２６は、切欠き２８と隣接した内側フランジ部分１０ｆによって構成されることが好ましい。
【００３３】
スライド板２０の引掛け部２４は、スライド部材２０がロック位置２０ｂにあるとき、蓋体４が閉位置４ｂから開位置４ａに移動することを阻止するように、点検口枠２の受け部２６即ち内側フランジ部分１０ｆと整列して係合し、スライド板２０が解除位置２０ａにあるとき、蓋体４が内側フランジ部分１０ｆを越えて閉位置４ｂから開位置４ａに移動することができるように、受け部２６に対して周方向に偏位して、切欠き２８と整列する。
【００３４】
図４に示すようにスライド板２０は、蓋枠６の外側フランジ部分１２ｅを貫いて下方に延びる操作部２０ｆを有している。また、蓋枠６の外側フランジ１２ｅは、スライド板２０の操作部２０ｆを受入れるように周方向に延びる長孔３０を有している。操作部２０ｆ及び長孔の幅は、目立たなくするために小さい方が好ましい。
【００３５】
次に、本発明による点検口の実施形態である天井点検口の取付け及び動作を説明する。まず、天井点検口１を取付けて、蓋体４を閉じる動作を説明する。
【００３６】
点検口枠２を天井面Ｃに予め設けられた矩形の孔に嵌込み、取付け孔１０ｇに引掛けられた取付け金具Ｆによって天井面Ｃに取付ける。点検口枠２の外側フランジ部分１０ｅは、天井面Ｃに当接する。
【００３７】
蓋パネル８を、蓋枠６の内側フランジ部分１２ｆとＬ字形ブラケット１４との間に挟むように、ブラケット１４を長孔１２ｇに取付けて、蓋体４を形成する。
【００３８】
蓋体４を閉じるために、蓋体４を点検口枠２に対して斜めにして下方から挿入し、回動軸１６が外周壁部分１０ａよりも上に位置するまで持上げる。次いで、蓋体４を回して、回動軸１６を外周壁部分１０ａの上縁に乗せる。蓋体４を後方に移動させると、回動軸１６が溝孔１８に入り、案内されて、水平部分１８ｂまで移動する。回動軸１６は、前後に移動可能に上下方向が規制される。
【００３９】
スライド板２０の操作部２０ｆを移動させて、解除位置にしておいて、蓋体４を回動軸１６を中心に回転させて、持上げる。蓋枠６の後部６ａが点検口枠２の後部２ａに当たると、回動軸１６は、水平部分１８ｂに沿って僅かに前方に移動する。図６に示すように、スライド板２０の引掛け部２４は、受け部２６から偏位し、切欠き２８と整列している。それにより、蓋体４を閉じることができる。回動軸１６は後方に押され、水平部分１８ｂの端部と回動軸１６とが当接する。それと同時に、蓋枠６の外側フランジ部分１２ｅと点検口枠２の内周面１０ｃとが当接する。それにより、点検口枠２に対する蓋体４の前後方向の取付けが安定する。また、蓋体４が閉じるとき、点検口枠２の内周面１０ｃから突出する三角形断面の突出部１０ｈによって、左右方向に芯出しされると共に、左右方向の取付けが安定する。
【００４０】
次いで、スライド板２０の操作部２０ｆを移動させて、図７に示すように、ロック位置にする。それにより、スライド板２０の引掛け部２４は、受け部２６と整列し、切欠き２８と偏位し、引掛け部２４が受け部２６の上に乗り、蓋体４が下方に下がって開くことが防止される。
【００４１】
次に、蓋体４を開く動作を説明する。蓋体４を開く場合には、蓋体４を閉じる場合と逆の動作を行えばよい。
【００４２】
上述したように、蓋体４を開いた後、蓋体４を点検口枠２から分離することができるので、点検口枠２の内側全体を作業者が通るスペースとして使用することができる。また、蓋枠６が樹脂でできているので、蓋体４が軽量になり、蓋体４の取付け及び取外しも容易に行える。例えば、蓋体４を頻繁に取外すことが必要な場合であっても、作業者に苦にならない。
【００４３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
上記実施形態では、天井点検口が矩形であったが、その他の多角形であってもよいし、湾曲部を有していてもよいし、円形であってもよい。湾曲部分にスライド板を配置する場合には、スライド板も湾曲させる。
上記実施形態では、回動軸を用いて蓋体を回動させることによって、蓋体を開閉したけれども、回動軸をなくし、その代わりに蓋枠の後部にスライド板を追加して、蓋体を上下に移動させることにより、蓋体を開閉してもよい。この場合には、蓋体を水平姿勢にして持上げ、点検口枠の中に挿入した後、それぞれのスライド板をロック位置にする必要がある。
【図面の簡単な説明】
【００４４】
【図１】本発明の実施形態である天井点検口の閉じた状態における底面図である。
【図２】天井面に取付けた天井点検口の開いた状態における正面図である。
【図３】図２に示した開いた状態の天井点検口の底面図である。
【図４】図１の線４−４における断面図である。
【図５】図２に示した開いた状態の天井点検口の右側面図である。
【図６】解除位置にあるスライド板を示す、図１の線６−６における断面図である。
【図７】ロック位置にあるスライド板を示す、図１の線６−６における断面図である。
【符号の説明】
【００４５】
１  天井点検口
２  点検口枠（外枠）
４  蓋体
６  蓋枠
８  蓋パネル
１０ｃ  点検口枠の内周面
１０ｆ  点検口枠の内側フランジ部分
１２ｂ  蓋枠の外周面
１２ｅ  蓋枠の外側フランジ部分
１６  回動軸
１８  溝孔
２０  スライド板
２０ｆ  操作部
２２  ピン部材
２４  引掛け部
２６  受け部
２８  切欠き
３０  長孔
【図１】
2007217950.tif 000003
【図２】
2007217950.tif 000004
【図３】
2007217950.tif 000005
【図４】
2007217950.tif 000006
【図５】
2007217950.tif 000007
【図６】
2007217950.tif 000008
【図７】
2007217950.tif 000009